(57)【要約】【課題】幾何学的効率を向上させることができるコリメータの製造方法、コリメータ、およびＸ線ＣＴ装置を提供することである。【解決手段】実施形態に係るコリメータの製造方法は、所定の角度で傾斜した複数の第１のスリットを有する第１の板状部を形成する工程、所定の角度で傾斜した複数の第２のスリットを有する第２の板状部を形成する工程、第１のスリットと第２のスリットとを対峙させて第１の板状部と第２の板状部とが交差するように組み付ける工程を備えている。第１の板状部と第２の板状部とが交差するように組み付ける工程において、第１のスリットの開口部側に第２の板状部の第２のスリットが設けられていない部分を保持させること、第２の板状部を第１のスリットの傾斜に倣わせるように傾斜させること、傾斜させた第２の板状部を第１のスリットの奥側に移動させることを行う。【選択図】図６
2013186010.tif 000002
【特許請求の範囲】
【請求項１】
放射線源の焦点の位置に対応して所定の角度で傾斜した複数の第１のスリットを有する第１の板状部を形成する工程と、
前記焦点の位置に対応して所定の角度で傾斜した複数の第２のスリットを有する第２の板状部を形成する工程と、
前記第１のスリットと、前記第２のスリットと、を対峙させて、前記第１の板状部と、前記第２の板状部と、が交差するように組み付ける工程と、
を備え、
前記第１の板状部と前記第２の板状部とが交差するように組み付ける工程において、
前記第１のスリットの開口部側に前記第２の板状部の前記第２のスリットが設けられていない部分を保持させることと、
前記第２の板状部を前記第１のスリットの傾斜に倣わせるように傾斜させることと、
及び前記傾斜させた前記第２の板状部を前記第１のスリットの奥側に移動させることとを有するコリメータの製造方法。
【請求項２】
前記組み付けられた第１の板状部と第２の板状部とを接着剤を用いて固定する工程をさらに備えた請求項１記載のコリメータの製造方法。
【請求項３】
複数の第１の板状部であって、そのそれぞれが放射線源の焦点の位置に対応して所定の角度で傾斜した複数の第１のスリットを有する、複数の第１の板状部と、
前記第１の板状部と交差して設けられた複数の第２の板状部であって、そのそれぞれが、前記焦点の位置に対応して所定の角度で傾斜した複数の第２のスリットを有する、複数の第２の板状部と、
を有し、
前記第１のスリットには前記第２の板状部の前記第２のスリットが設けられていない部分が嵌め合わされ、
前記第２のスリットには前記第１の板状部の前記第１のスリットが設けられていない部分が嵌め合わされたコリメータ。
【請求項４】
前記第１の板状部と、前記第２の板状部と、により画された区画部は、四角錐台状の外形形状を有する請求項３記載のコリメータ。
【請求項５】
前記放射線としてのＸ線を放出するＸ線源と、
請求項３または４に記載のコリメータと、前記Ｘ線を受けて蛍光を発するシンチレータと、前記蛍光を電気信号に変換する光電変換部と、を有する放射線検出器と、
前記Ｘ線源と、前記放射線検出器と、を支持し、被検体の周りを回転する回転リングと、
前記放射線検出器により検出されたＸ線の強度に基づいて、前記被検体の断層像を画像再構成する処理部と、
を備えたＸ線ＣＴ装置。
【発明の詳細な説明】
【技術分野】
【０００１】
後述する実施形態は、概ね、コリメータの製造方法、コリメータ、およびＸ線ＣＴ装置に関する。
【背景技術】
【０００２】
Ｘ線ＣＴ（Computer Tomography）装置においては、検出点数を多くして空間分解能を上げるために、シンチレータを用いたＸ線検出器が用いられている。  
ここで、広い範囲を高速かつ高精細に撮影したいとの要求から、チャンネル方向のみならずスライス方向にも複数の光電変換素子を備えたＸ線検出器が用いられるようになってきている。この様なＸ線検出器においては、スライス方向の光電変換素子の数が増えてくると、チャンネル方向のみならずスライス方向においても散乱Ｘ線を除去する必要がある。
そのため、平板状の基部と、基部から突出する複数の壁部と、を一体的に成形した要素を複数積層してなるコリメータが提案されている。  
しかしながら、基部と壁部とを一体的に成形すれば、基部と壁部とが交差する部分の角に丸みが付くので開口率が低下することになる。  
この場合、Ｘ線検出器の幾何学的効率は、Ｘ線検出器の総面積に対する検出部の有効面積の割合となるので、開口率が低下すると幾何学的効率が低下することになる。
【先行技術文献】
【特許文献】
【０００３】
【特許文献１】特開２００１−１３７２３４号公報
【発明の概要】
【発明が解決しようとする課題】
【０００４】
本発明が解決しようとする課題は、幾何学的効率を向上させることができるコリメータの製造方法、コリメータ、およびＸ線ＣＴ装置を提供することである。
【課題を解決するための手段】
【０００５】
実施形態に係るコリメータの製造方法は、放射線源の焦点の位置に対応して所定の角度で傾斜した第１のスリットを複数有する第１の板状部を形成する工程と、前記焦点の位置に対応して所定の角度で傾斜した第２のスリットを複数有する第２の板状部を形成する工程と、前記第１のスリットと、前記第２のスリットと、を対峙させて、前記第１の板状部と、前記第２の板状部と、が交差するように組み付ける工程と、を備えている。そして、前記第１の板状部と前記第２の板状部とが交差するように組み付ける工程において、前記第１のスリットの開口部側に前記第２の板状部の前記第２のスリットが設けられていない部分を保持させること、前記第２の板状部を前記第１のスリットの傾斜に倣わせるように傾斜させること、及び前記傾斜させた前記第２の板状部を前記第１のスリットの奥側に移動させることを有する。
【図面の簡単な説明】
【０００６】
【図１】Ｘ線ＣＴ装置の概略構成を例示するための模式ブロック図である。
【図２】放射線検出器を例示するための模式斜視図である。
【図３】図２におけるＡ−Ａ断面を表すための模式断面図である。
【図４】コリメータを例示するための模式斜視図である。（ａ）はコリメータの外観を例示するための模式斜視図、（ｂ）はコリメータの模式分解図である。
【図５】コリメータを構成する板状部を例示するための模式図である。
【図６】区画部を例示するための模式斜視図である。
【図７】モジュール単位の格子構造部を例示するための模式斜視図である。（ａ）はモジュール単位の格子構造部の外観を例示するための模式斜視図、（ｂ）はモジュール単位の格子構造部の模式分解図である。
【発明を実施するための形態】
【０００７】
以下、図面を参照しつつ、実施の形態について例示をする。なお、各図面中、同様の構成要素には同一の符号を付して詳細な説明は適宜省略する。  
また、以下においては、一例として、放射線がＸ線である場合を例に挙げて説明するがγ線などの他の放射線にも適用させることができる。  
そのため、例えば、Ｘ線検出器として例示をしたものを他の放射線に適用させる場合には、「Ｘ線」を「他の放射線（例えば、γ線）」に置き換えるようにすればよい。
【０００８】
[第１の実施形態]  
まず、本実施の形態に係るコリメータ１、およびＸ線ＣＴ装置１００について例示をする。  
図１は、Ｘ線ＣＴ装置の概略構成を例示するための模式ブロック図である。  
図１に示すように、Ｘ線ＣＴ装置１００には、Ｘ線管球１０１、回転リング１０２、２次元検出部１０３、データ収集回路（ＤＡＳ）１０４、非接触データ伝送装置１０５、架台駆動部１０７、スリップリング１０８、処理部１０６が設けられている。
【０００９】
Ｘ線を放出するＸ線源であるＸ線管球１０１は、Ｘ線を発生する真空管であり、回転リング１０２に支持されている。Ｘ線管球１０１には、Ｘ線の曝射に必要な電力（管電流、管電圧）が図示しない高電圧発生装置からスリップリング１０８を介して供給される。Ｘ線管球１０１は、供給された高電圧により加速させた電子をターゲットに衝突させることで、有効視野領域ＦＯＶ内にある被検体に向けてＸ線を曝射する。    
なお、Ｘ線管球１０１と被検体との間には、Ｘ線管球１０１から曝射されるＸ線ビームの形状をコーン状、四角錐状、ファンビーム状などに整形する図示しないＸ線管球側コリメータが設けられている。
【００１０】
２次元検出部１０３は、被検体を透過したＸ線を検出する検出器システムであり、Ｘ線管球１０１に対向するようにして回転リング１０２に支持されている。２次元検出部１０３の外周側（被検体の反対側）には、放射線検出器１０が取り付けられている。すなわち、２次元検出部１０３の外周側には、後述するコリメータ１と、Ｘ線を受けて蛍光を発するシンチレータ４と、蛍光を電気信号に変換する光電変換部１２と、を有する放射線検出器１０が取り付けられている。  
なお、コリメータ１などに関する詳細は後述する。
【００１１】
Ｘ線管球１０１及び２次元検出部１０３は、回転リング１０２に支持されている。この回転リング１０２は、架台駆動部１０７により駆動され、被検体の回りを回転する。  
データ収集回路（ＤＡＳ）１０４は、ＤＡＳチップが配列された複数のデータ収集素子列を有し、２次元検出部１０３で検出されたデータ（以下、生データという）が入力される。そして、入力された生データは、増幅処理、Ａ／Ｄ変換処理等された後、データ伝送装置１０５を介して処理部１０６に伝送される。  
架台駆動部１０７は、診断用開口内に挿入された被検体の体軸方向に平行な中心軸のまわりに、Ｘ線管球１０１と２次元検出部１０３とを一体的に回転させる等の駆動及びその制御を行う。
【００１２】
処理部１０６は、生データの感度補正やＸ線強度補正を行うことで「投影データ」を作成する。そして、所定の再構成パラメータ（再構成領域サイズ、再構成マトリクスサイズ、関心部位を抽出するための閾値等）に基づいて、投影データを再構成処理することで所定のスライス分における再構成画像データを作成する。また、再構成画像データに対して、ウィンドウ変換、ＲＧＢ処理等の表示のための画像処理を行い、図示しない表示装置に画像として出力させる。  
すなわち、処理部１０６は、放射線検出器１０により検出されたＸ線の強度に基づいて、被検体の断層像を画像再構成する。
【００１３】
図２は、放射線検出器を例示するための模式斜視図である。  
図３は、図２におけるＡ−Ａ断面を表すための模式断面図である。  
図２に示すように、放射線検出器１０は、検出部２、コリメータ１を備えている。なお、保持部６は、放射線検出器１０を保持するために２次元検出部１０３に設けられた部材である。  
また、図２に示すように、コリメータ１は、Ｘ線を遮蔽するＸ線遮蔽板（後述する板状部１１、２１）によって形成された格子構造となっており、この格子構造の各々の区画は、シンチレータ４の各区画に対応した構成となっている。この場合、コリメータ１の格子構造は、コリメータ１が、図１に示すＸ線ＣＴ装置１００内の所定の位置に設けられたときに、その各区画がＸ線管球１０１（Ｘ線源）の焦点方向を向くような形状となっている。例えば、図２に示すように、平面視において矩形状の各々の区画部が四角錐台の形状を有するような構成にして設けることができる。このような格子構造は、コリメータ１のチャンネル方向、及びスライス方向の２方向において、その各区画部を構成する各々のＸ線遮蔽板を、コリメータ１が、図１に示すＸ線ＣＴ装置１００内の所定の位置に設けられたときに、Ｘ線管球１０１の焦点方向に向くような所定の角度に傾けることで形成することができる。なお、コリメータ１に関する詳細は後述する。  
また、図３に示すように、検出部２には、シンチレータ４、光反射部１７、接着層３、光電変換部１２、回路基板１８、基部７が設けられている。
【００１４】
シンチレータ４は、光電変換部１２に設けられた光電変換素子１２ａの検出区画に対応して区画され、各検出区画間には溝１６が形成されている。すなわち、各シンチレータ４が溝１６により分割された構成となっている。そして、シンチレータ４と光電変換部１２とが、互いの区画を対応させるようにして接合されている。
【００１５】
シンチレータ４は、コリメータ１と対向させて設けられ、Ｘ線などの放射線を受けて蛍光を発する。蛍光は、例えば、可視光線などの光である。シンチレータ４は、その材質により、最大発光波長、減衰時間、反射係数、密度、光出力比や蛍光効率の温度依存性等が異なるので、それぞれの用途に応じてその材質を選択することができる。例えば、Ｘ線ＣＴ装置に用いるものとしては、希土類酸硫化物の焼結体からなるセラミックシンチレータを例示することができる。ただし、これに限定されるわけではなく、適宜変更することができる。
【００１６】
また、シンチレータ４同士の間の溝１６には、シンチレータ４の発光波長付近の波長の光を反射する機能を有するもの（例えば、白色の板状体など）を挿入、接着したものなどからなる光反射部１７が設けられている。  
光電変換素子１２ａ毎にシンチレータ４を区画する光反射部１７は、各シンチレータ４の区画間における光学的分離と反射とを行わせることで、各区画間における光学的クロストークを抑制する役割を果たす。
【００１７】
光電変換部１２は、シンチレータ４からの蛍光を電気信号に変換する光電変換素子１２ａを有している。光電変換素子１２ａとしては、例えば、ｐｉｎ構造のシリコンフォトダイオードなどを例示することができる。  
接着層３は、例えば、透明接着剤からなり、シンチレータ４と光電変換部１２との間の光の透過を良好にしつつ両者を接合する。  
光電変換部１２のシンチレータ４が接合される側の面と反対側の面には、回路基板１８が設けられている。回路基板１８も、シンチレータ４の区画に対応するように区画されており、各区画毎の電気信号を取り込むことができるようになっている。
【００１８】
基部７は、平板状を呈し、その主面には回路基板１８、光電変換部１２、接着層３、光反射部１７が設けられたシンチレータ４が積層されるようにして設けられている。また、図示しないネジなどの締結手段を用いて、保持部６に取り付けることができるようになっている。そのため、基部７を保持部６に取り付けることで、積層されるようにして設けられたシンチレータ４などが保持部６に保持されるようになっている。
【００１９】
放射線検出器１０を保持するために２次元検出部１０３に設けられている保持部６は、各シンチレータ４がＸ線源（Ｘ線管球１０１）の焦点を向くように円弧形状を呈するものとすることができる。そして、一対の保持部６が所定の間隔をあけて対向するように設けられ、保持部６同士の間にはコリメータ１が保持される。この場合、例えば、保持部６同士の間に接着剤を用いてコリメータ１を接着することで、コリメータ１を保持部６に保持させるようにすることができる。ただし、コリメータ１の保持方法は接着剤を用いた接着に限定されるわけではなく適宜変更することができる。例えば、保持部６に設けられた図示しない溝などにコリメータ１を嵌合させることで、コリメータ１が保持部６に保持されるようにすることもできる。  
また、一対の保持部６の外周側（円弧形状の凸側）には検出部２に設けられた基部７が保持される。また、基部７は、保持部６の外周側形状に適応できるように外周面に沿って複数設けられる。
【００２０】
次に、コリメータ１についてさらに例示する。  
図２に示すように、コリメータ１は、Ｘ線管球１０１から発せられたＸ線が通過する方向と交差する断面において、格子構造を有している。また、この格子構造は、Ｘ線管球１０１の位置から遠ざかるにつれて、その断面の面積が大きくなるように、矩形状の区画部が形成されている。ここでは、格子構造は、例えば、図２のように、各々の矩形状の区画部が四角錐台の形状を有するような構成にして設けることができる。また、図３に示すように、コリメータ１は、各シンチレータ４に入射するＸ線を制御するとともに散乱Ｘ線を吸収してこの散乱Ｘ線によるクロストークを低減させる。  
コリメータ１の材質としては、例えば、Ｗ（タングステン）、Ｍｏ（モリブデン）、Ｔａ（タンタル）、Ｐｂ（鉛）、少なくともこれらの重金属の１つを含む合金などを例示することができる。ただし、これらに限定されるわけではなくＸ線の遮蔽特性に優れた材料を適宜選択することができる。
また、後述するように、コリメータ１の格子構造は、モジュール単位（あるいはブロック単位ともいう）の格子構造を複数用意し、これらのモジュール単位の格子構造を組み合わせて構成することもできる。この場合、モジュール単位の格子構造は、その格子構造の各区画部がＸ線管球１０１（Ｘ線源）の焦点方向を向くように位置合わせを行いながら、保持部６（サポート部材）に並べるようにして取り付けることになる。
なお、モジュール単位の格子構造は、保持部６に対して着脱自在となるように構成することができる。
【００２１】
ここで、コリメータにおいては、上記断面（即ち、Ｘ線が通過する方向と交差する断面）に矩形状の区画部が形成されるように、薄板を曲げた部材等を用いてコリメータを一体的に成形したり、さらには、この一体的に成形した要素を複数積層して断面が矩形状の区画部を形成したりする場合がある。しかしながらその様にすれば、矩形状断面の四隅の何れかに丸みが付き、格子形状が不均等になる等して、その分だけ、開口率が低下することになる。
このような場合、被検体の取得画像に関して、放射線検出器１０の幾何学的効率は、放射線検出器１０の総面積に対する検出部２の有効面積の割合となるので、開口率が低下すると幾何学的効率が低下することになる。このように幾何学的効率が低下したコリメータが用いられた場合、Ｘ線ＣＴ装置では、被検体に関する取得画像の画質が低下することになる。  
また、近年においては、Ｘ線ＣＴ装置の分解能を高めるために、コリメータを含む検出器の多列化によって、画像等の取得データの高精細化が図られるようになってきており、区画部の大きさが小さくなる傾向にある。そのため、区画部の矩形状断面の四隅の何れかにでも丸みが付くとその影響が大きなものとなるおそれがある。
【００２２】
図４は、コリメータを例示するための模式斜視図である。  
図４（ａ）はコリメータの外観を例示するための模式斜視図、図４（ｂ）はコリメータの模式分解図である。  
なお、煩雑となることを避けるために板状部を間引いて描いている。  
図５は、コリメータを構成する板状部を例示するための模式図である。
【００２３】
図４、図５に示すように、コリメータ１は、互いに間隔をあけて配設された複数の板状部１１（第１の板状部の一例に相当する）と、板状部１１と交差する方向に互いに間隔をあけて配設された複数の板状部２１（第２の板状部の一例に相当する）と、を備えている。
板状部１１には、間隔をあけて複数のスリット１１ａ（第１のスリットの一例に相当する）が形成されている。なお、スリット１１ａの数は、嵌め合わされる板状部２１の数とすることができる。また、板状部１１の幅寸法Ｗ１と、板状部２１の幅寸法Ｗ２とが同じとなるようにすることができる。  
スリット１１ａの幅寸法Ｗ１ａは、板状部２１の厚み寸法よりも僅かに大きくなっている。スリット１１ａの長さ寸法Ｌ１は、例えば、板状部１１の幅寸法Ｗ１の半分程度とすることができる。  
また、スリット１１ａは、Ｘ線源（Ｘ線管球１０１）の焦点の位置に対応して所定の角度で傾斜して形成されている。そのため、スリット１１ａに板状部２１を嵌め入れることで、板状部２１をＸ線源の焦点の位置に対応して所定の角度で傾斜させることができる。
【００２４】
板状部２１には、間隔をあけて複数のスリット２１ａ（第２のスリットの一例に相当する）が形成されている。なお、スリット２１ａの数は、嵌め合わされる板状部１１の数とすることができる。  
スリット２１ａの幅寸法Ｗ２ａは、板状部１１の厚み寸法よりも僅かに大きくなっている。スリット２１ａの長さ寸法Ｌ２は、例えば、板状部２１の幅寸法Ｗ２の半分程度とすることができる。  
また、スリット２１ａは、Ｘ線源の焦点の位置に対応して所定の角度で傾斜して形成されている。そのため、スリット２１ａに板状部１１を嵌め入れることで、板状部１１をＸ線源の焦点の位置に対応して所定の角度で傾斜させることができる。  
この場合、板状部１１と板状部２１とが交差する位置において、スリット１１ａとスリット２１ａとが対峙している。  
すなわち、スリット１１ａには板状部２１のスリット２１ａが設けられていない部分が嵌め合わされ、スリット２１ａには板状部１１のスリット１１ａが設けられていない部分が嵌め合わされており、板状部１１と板状部２１とが交差している。
【００２５】
板状部１１と板状部２１とを相互に組み付けてコリメータ１を形成する際には、図４（ｂ）に示すように、板状部１１のスリット１１ａと、板状部２１のスリット２１ａとを対峙させ、スリット１１ａに板状部２１のスリット２１ａが設けられていない部分を嵌め合わせる。この際、スリット２１ａに板状部１１のスリット１１ａが設けられていない部分が嵌め合わされることになる。
【００２６】
図６は、区画部を例示するための模式斜視図である。  
前述したように板状部１１と板状部２１とを相互に組み付けることで、板状部１１と板状部２１とがＸ線源の焦点の位置に対応して所定の角度で傾斜する。  
そのため、板状部１１と板状部２１とにより画されることで形成される区画部１ａの外形形状は、図６に示すような四角錐台状となる。  
この場合、板状部のスリットに相手側の板状部を嵌め合わせることで区画部１ａを形成するようにしているので、区画部１ａの矩形状断面の四隅に丸みが付くことが殆どない。そのため、開口率の低下を防止することができるので、幾何学的効率を向上させることになる。従って、コリメータを含む検出器において、チャンネル方向やスライス方向の多列化にも対応できることになる。このように幾何学的効率が向上したコリメータを用いれば、Ｘ線ＣＴ装置では、空間分解能が高められ、被検体に関する取得画像の画質が高められる等、取得データの高精細化が可能となる。
【００２７】
なお、必ずしも板状部１１と板状部２１とを相互に固定する必要はない。  
ただし、板状部１１と板状部２１とを相互に固定するようにすれば、振動などの影響を受けにくくすることができる。  
この場合、板状部１１と板状部２１とを接着剤を用いて相互に固定するようにすることができる。なお、接着剤を用いた固定に関する詳細は後述する。
【００２８】
[第２の実施形態]  
次に、本実施の形態に係るコリメータの製造方法について例示する。  
まず、板状部１１と板状部２１とを形成する。  
すなわち、Ｘ線源の焦点の位置に対応して所定の角度で傾斜した複数のスリット１１ａを有する板状部１１を形成する。また、Ｘ線源の焦点の位置に対応して所定の角度で傾斜した複数のスリット２１ａを有する板状部２１を形成する。
【００２９】
Ｘ線の遮蔽特性に優れた材料を用いた平板材から、板状部１１と板状部２１のブランクを切り出す。  
そして、板状部１１のブランクに所定の形状寸法を有するスリット１１ａを形成し、板状部２１のブランクに所定の形状寸法を有するスリット２１ａを形成する。  
コリメータには、板状部１１、２１によって格子構造が形成される。ここでは、Ｘ線ＣＴ装置内の所定の位置に設けられたときに、その格子構造の区画部が、Ｘ線管球１０１（Ｘ線源）の焦点方向に向くように構成されていなければならない。従って、板状部１１のスリット１１a、及び板状部２１のスリット２１ａは、そのような構成のコリメータとなるように、所定の形状寸法で形成する必要がある。  
【００３０】
この場合、Ｘ線の遮蔽特性に優れた材料としては、例えば、Ｗ（タングステン）、Ｍｏ（モリブデン）、Ｔａ（タンタル）、Ｐｂ（鉛）、少なくともこれらの重金属の１つを含む合金などを例示することができる。ただし、これらに限定されるわけではなくＸ線の遮蔽特性に優れた材料を適宜選択することができる。  
また、スリット１１ａ、スリット２１ａの形成は、例えば、エッチング法を用いて行うようにすることができる。
【００３１】
次に、板状部１１と板状部２１とが交差するように組み付ける。  
ここで、コリメータ１は、板状部１１または板状部２１を１つずつ順次組み付けるようにして製造することができる。  
このような格子構造は、コリメータ１のチャンネル方向、及びスライス方向の２方向において、その各区画部を構成する各々のＸ線遮蔽板を、コリメータ１が、図１に示すＸ線ＣＴ装置１００内の所定の位置に設けられたときに、Ｘ線管球１０１の焦点方向に向くような所定の角度に傾けることで形成することができる。
【００３２】
また、コリメータ１の格子構造は、モジュール単位の格子構造部を複数用意し、これらのモジュール単位の格子構造部を組み合わせて構成することもできる。  
図７は、モジュール単位の格子構造部を例示するための模式斜視図である。  
図７（ａ）はモジュール単位の格子構造部の外観を例示するための模式斜視図、図７（ｂ）はモジュール単位の格子構造部の模式分解図である。  
なお、煩雑となることを避けるために板状部を間引いて描いている。  
図７に示すように、格子構造部１３には、板状部１１、板状部２１、接続部３１、覆部３２が設けられている。  
【００３３】
接続部３１は、金属などの剛性の高い材料から形成され、接着剤などを用いて板状部１１の端部に接合されるようにすることができる。  
覆部３２は、平板状を呈し、Ｘ線の入射面を覆うように設けられている。  
覆部３２には、板状部１１、板状部２１の端部を嵌め合わすための図示しない溝を設けるようにすることができる。  
覆部３２は、Ｘ線の透過率が高く、また、剛性も高い材料から形成されている。覆部３２は、例えば、炭素繊維強化プラスチック（ＣＦＲＰ；carbon fiber reinforced plastics）などから形成されるようにすることができる。  
覆部３２は、接着剤などを用いて板状部１１、板状部２１に接合されるようにすることができる。また、覆部３２は、接着剤などを用いて接続部３１とも接合されるようにすることができる。
【００３４】
この場合、モジュール単位の格子構造部１３をその各区画部がＸ線管球１０１（Ｘ線源）の焦点方向を向くように位置あわせを行いながら、接続部３１を介して弓状の保持部６に並べて取り付けることでコリメータ１が構成されることになる。ここで、弓状の保持部６は、その各点が、コリメータ１が、図１に示すＸ線ＣＴ装置１００内の所定の位置に設けられたときに、Ｘ線管球１０１（Ｘ線源）の焦点方向を向くように、所定の曲率で円弧を描くように形成されている。
なお、モジュール単位の格子構造部１３は、保持部６に対して着脱自在となるように構成することができる。
【００３５】
以上に例示をした実施形態によれば、幾何学的効率を向上させることができるコリメータの製造方法、コリメータ、およびＸ線ＣＴ装置を実現することができる。  
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
例えば、コリメータ１、Ｘ線ＣＴ装置１００などが備える各要素の形状、寸法、材質、配置、数などは、例示をしたものに限定されるわけではなく適宜変更することができる。
【符号の説明】
【００３６】
１  コリメータ、２  検出部、４  シンチレータ、６  保持部、１０  放射線検出器、１１  板状部、１１ａ  スリット、１２  光電変換部、１３  格子構造部、２１  板状部、２１ａ  スリット、１００  Ｘ線ＣＴ装置、１０１  Ｘ線管球、１０２  回転リング
【図１】
2013186010.tif 000003
【図２】
2013186010.tif 000004
【図３】
2013186010.tif 000005
【図４】
2013186010.tif 000006
【図５】
2013186010.tif 000007
【図６】
2013186010.tif 000008
【図７】
2013186010.tif 000009